(57)【要約】【課題】データ転送の要求なしにタイムリーに記憶データを更新する。【解決手段】携帯電話２０は、ワンセグ放送信号を受信する放送受信部と、放送受信部が受信した放送信号に基づく第１番組データを記憶部５に録画する番組録画部と、ディスク装置５０から送信される第２番組データを受信する番組受信部と、を有し、記憶部を検索し、第２番組データと同一番組の第１番組データが、録画済みであるか否かを検出する。第２番組データは、フルセグメントのテレビジョン放送信号に基づく番組データである。第２番組データを受信したとき、同一番組の第１番組データが録画されていないと検出したとき、受信した第２番組データを記憶部５に格納する。【選択図】図１
2010258572.tif 000002
【特許請求の範囲】
【請求項１】
記憶部と、
所定サイズの周波数帯域を有するテレビジョン放送信号を受信する放送受信部と、
前記放送受信部が受信した前記テレビジョン放送信号に基づく番組のデータを検出し、検出した番組のデータを、前記記憶部に第１番組データとして録画する番組録画部と、
外部機器から送信される第２番組データを受信する番組受信部と、
前記記憶部を検索し、前記番組受信部が受信した前記第２番組データと同一番組の前記第１番組データが、前記記憶部に録画済みであるか否かを検出する番組検索部と、
前記番組受信部が受信した前記第２番組データを前記記憶部に格納する番組格納部とを備え、
前記第２番組データは、前記所定サイズよりも大きいサイズの周波数帯域を有するテレビジョン放送信号に基づく番組データであり、
前記番組格納部は、
前記番組検索部が録画済みでないと検出したとき、前記番組受信部が受信した前記第２番組データを前記記憶部に格納する、携帯端末。
【請求項２】
前記番組格納部は、
前記番組検索部が録画済みと検出した前記第１番組データを、前記番組受信部が受信した前記第２番組データで更新することにより、当該第２番組データを格納する、請求項１に記載の携帯端末。
【請求項３】
表示部と、
前記記憶部から番組データを再生し前記表示部に表示する番組再生部と、をさらに備え、
前記番組格納部は、
前記番組検索部により録画済みと検出された前記第１番組データが、前記番組再生部により未再生であると検出したときは、前記番組受信部が受信した前記第２番組データで更新することにより、当該第２番組データを格納する、請求項２に記載の携帯端末。
【請求項４】
携帯端末と、前記携帯端末にデータを転送して供給する情報処理装置と、を備えるデータ通信システムであって、
前記携帯端末は、
記憶部と、
所定サイズの周波数帯域を有するテレビジョン放送信号を受信する放送受信部と、
前記放送受信部が受信した前記テレビジョン放送信号に基づく番組のデータを検出し、検出した番組のデータを、前記記憶部に第１番組データとして録画する番組録画部と、
前記情報処理装置から送信される第２番組データを受信する番組受信部と、
前記記憶部を検索し、前記番組受信部が受信した前記第２番組データと同一番組の前記第１番組データが、前記記憶部に録画済みであるか否かを検出する番組検索部と、
前記番組受信部が受信した前記第２番組データを前記記憶部に格納する番組格納部とを含み、
前記情報処理装置は、
前記所定サイズよりも大きいサイズの周波数帯域を有するテレビジョン放送信号に基づく番組データを、前記第２番組データとして格納する格納部と、
前記携帯端末に未送信の前記第２番組データを、前記格納部から読出し、前記携帯端末に送信する番組データ送信部と、を含む、データ通信システム。
【請求項５】
前記情報処理装置は、
前記第２番組データを前記携帯端末に送信するタイミングを制御する送信タイミング制御部を、さらに含む、請求項４に記載のデータ通信システム。
【請求項６】
前記送信タイミング制御部は、
前記格納部に前記第２番組データが格納される毎に、当該第２番組データを前記格納部から読出し、前記携帯端末に送信する、請求項５に記載のデータ通信システム。
【請求項７】
前記送信タイミング制御部は、
所定時間間隔毎に、前記格納部を検索し、検索結果に基づき、前記携帯端末に未送信の前記第２番組データを読出し、前記携帯端末に送信する、請求項５または６に記載のデータ通信システム。
【請求項８】
前記携帯端末は、
前記記憶部における空き容量を検出し、空き容量サイズを送信する容量検出部を、さらに含み、
前記情報処理装置は、
前記空き容量サイズを受信し、受信した前記空き容量サイズに基づき前記第２番組データのサイズを縮小するデータ縮小部を、さらに含み、
前記番組データ送信部は、
前記データ縮小部により縮小された前記第２番組データを、前記携帯端末に送信する、請求項４から７のいずれかに記載のデータ通信システム。
【請求項９】
前記携帯端末は、前記情報処理装置に遠隔操作するための操作信号を送信する遠隔操作部を、さらに含む、請求項４から８のいずれかに記載のデータ通信システム。
【請求項１０】
前記情報処理装置は、
前記第２番組データを、表示部において再生出力する番組再生出力部を、さらに含み、
前記格納部の前記第２番組データのうち、前記遠隔操作部から受信した前記操作信号により、前記再生出力の指示がされた前記第２番組データは、前記番組データ送信部による送信対象から外す、請求項９に記載のデータ通信システム。
【請求項１１】
前記情報処理装置は、
前記操作信号を送信する前記携帯端末と、前記第２番組データを送信すべき前記携帯端末が一致するか否かを検出する携帯検出部を、さらに含み、
前記番組データ送信部は、
前記携帯検出部により前記一致が検出されたとき、前記格納部の前記第２番組データのうち、前記遠隔操作部から受信した前記操作信号により指定される前記第２番組データを、前記携帯端末に送信する、請求項９または１０に記載のデータ通信システム。
【請求項１２】
記憶部を有する携帯端末におけるデータ処理方法であって、
所定サイズの周波数帯域を有するテレビジョン放送信号を受信する放送受信ステップと、
前記放送受信ステップが受信した前記テレビジョン放送信号に基づく番組のデータを検出し、検出した番組のデータを、前記記憶部に第１番組データとして録画する番組録画ステップと、
外部機器から送信される第２番組データを受信する番組受信ステップと、
前記記憶部を検索し、前記番組受信ステップが受信した前記第２番組データと同一番組の前記第１番組データが、前記記憶部に録画済みであるか否かを検出する番組検索ステップと、
前記番組検索ステップが録画済みでないと検出したとき、前記番組受信ステップが受信した前記第２番組データを前記記憶部に格納するステップとを、備え、
前記第２番組データは、前記所定サイズよりも大きいサイズの周波数帯域を有するテレビジョン放送信号に基づく番組データである、データ処理方法。
【発明の詳細な説明】
【技術分野】
【０００１】
本発明は、携帯端末およびデータ転送システムに関し、特に、外部機器からデータを転送することによってデータ供給される携帯端末および携帯端末にデータを転送するデータ通信システムに関する。
【背景技術】
【０００２】
電話帳、スケジュールなどのデータに関し、パソコン（パーソナルコンピュータの略）、携帯電話（またはＰＤＡ（Personal  Digital  Assistant）端末など）間で双方が保持するデータを比較し、比較結果に基づき、両方において保持しているデータを最新にするソフトウェアが提供されている。
【０００３】
このようなソフトウェアとして、たとえば、特許文献１では、携帯通信端末はコンテンツ提供センタと通信することによりデータのバージョン情報を参照する。参照した結果に基づき、携帯通信端末は受信するべきデータのうち、コンテンツ提供装置側で更新がされたデータを検出し、更新がされたデータのみをコンテンツ提供センタからダウンロードする。
【０００４】
特許文献２では、クレードルは携帯電話からの録画予約情報に基づき番組を録画する。クレードルに携帯電話が装着されると、携帯電話はクレードルに転送要求を送信する。クレードルは要求に応じて録画した番組を携帯電話に転送する。
【０００５】
特許文献３では、携帯電話装置からテレビ受信レコーダ宛てに放送内容の録画指示をした場合に、携帯電話装置側に指示情報を登録しておく。携帯電話装置がクレードルに装着されると、携帯電話装置は自己に登録した指示情報を元に録画内容の転送を要求し、再生するようにしている。
【先行技術文献】
【特許文献】
【０００６】
【特許文献１】特開２００２−１１１５７３号公報
【特許文献２】特開２００６−４１９０５号公報
【特許文献３】特開２００７−３２９６９２号公報
【発明の概要】
【発明が解決しようとする課題】
【０００７】
従来は、携帯電話は、格納するデータを最新状態に更新するためには、コンテンツ提供装置、クレードルなどの外部装置にデータ転送の要求を送信する必要があり、タイムリーに最新の状態に更新することができない。
【０００８】
それゆえに、本発明の目的は、データ転送の要求なしにタイムリーに記憶データを更新することが可能な携帯端末およびデータ通信システムを提供することである。
【課題を解決するための手段】
【０００９】
この発明のある局面に従うと、携帯端末は、記憶部と、所定サイズの周波数帯域を有するテレビジョン放送信号を受信する放送受信部と、放送受信部が受信したテレビジョン放送信号に基づく番組のデータを検出し、検出した番組のデータを、記憶部に第１番組データとして録画する番組録画部と、外部機器から送信される第２番組データを受信する番組受信部と、記憶部を検索し、番組受信部が受信した第２番組データと同一番組の第１番組データが、記憶部に録画済みであるか否かを検出する番組検索部と、番組受信部が受信した第２番組データを前記記憶部に格納する番組格納部とを備え、第２番組データは、所定サイズよりも大きいサイズの周波数帯域を有するテレビジョン放送信号に基づく番組データであり、番組格納部は、番組検索部が録画済みでないと検出したとき、番組受信部が受信した第２番組データを記憶部に格納する。
【００１０】
好ましくは、番組格納部は、番組検索部が録画済みと検出した第１番組データを、番組受信部が受信した第２番組データで更新することにより、当該第２番組データを格納する。
【００１１】
好ましくは、表示部と、記憶部から番組データを再生し表示部に表示する番組再生部と、をさらに備え、番組格納部は、番組検索部により録画済みと検出された第１番組データが、番組再生部により未再生であると検出したときは、番組受信部が受信した第２番組データで更新することにより、当該第２番組データを格納する。
【００１２】
この発明の他の局面に従うと、携帯端末と、携帯端末にデータを転送して供給する情報処理装置と、を備えるデータ通信システムにおいては、携帯端末は、記憶部と、所定サイズの周波数帯域を有するテレビジョン放送信号を受信する放送受信部と、放送受信部が受信したテレビジョン放送信号に基づく番組のデータを検出し、検出した番組のデータを、記憶部に第１番組データとして録画する番組録画部と、情報処理装置から送信される第２番組データを受信する番組受信部と、記憶部を検索し、番組受信部が受信した第２番組データと同一番組の第１番組データが、記憶部に録画済みであるか否かを検出する番組検索部と、番組受信部が受信した第２番組データを記憶部に格納する番組格納部とを含み、情報処理装置は、所定サイズよりも大きいサイズの周波数帯域を有するテレビジョン放送信号に基づく番組データを、第２番組データとして格納する格納部と、携帯端末に未送信の第２番組データを、格納部から読出し、携帯端末に送信する番組データ送信部と、を含む。
【００１３】
好ましくは、情報処理装置は、第２番組データを携帯端末に送信するタイミングを制御する送信タイミング制御部を、さらに含む。
【００１４】
好ましくは、送信タイミング制御部は、格納部に第２番組データが格納される毎に、当該第２番組データを格納部から読出し、携帯端末に送信する。
【００１５】
好ましくは、送信タイミング制御部は、所定時間間隔毎に、格納部を検索し、検索結果に基づき、携帯端末に未送信の第２番組データを読出し、携帯端末に送信する。
【００１６】
好ましくは、携帯端末は、記憶部における空き容量を検出し、空き容量サイズを送信する容量検出部を、さらに含み、情報処理装置は、空き容量サイズを受信し、受信した空き容量サイズに基づき第２番組データのサイズを縮小するデータ縮小部を、さらに含み、番組データ送信部は、データ縮小部により縮小された第２番組データを、携帯端末に送信する。
【００１７】
好ましくは、携帯端末は、情報処理装置に遠隔操作するための操作信号を送信する遠隔操作部を、さらに含む。
【００１８】
好ましくは、情報処理装置は、第２番組データを、表示部において再生出力する番組再生出力部を、さらに含み、格納部の第２番組データのうち、遠隔操作部から受信した操作信号により、再生出力の指示がされた第２番組データは、前番組データ送信部による送信対象から外す。
【００１９】
好ましくは、情報処理装置は、操作信号を送信する携帯端末と、第２番組データを送信すべき携帯端末が一致するか否かを検出する携帯検出部を、さらに含み、番組データ送信部は、携帯検出部により一致が検出されたとき、格納部の第２番組データのうち、遠隔操作部から受信した操作信号により指定される第２番組データを、携帯端末に送信する。
【００２０】
この発明のさらに他の局面に従うと、記憶部を有する携帯端末におけるデータ処理方法は、所定サイズの周波数帯域を有するテレビジョン放送信号を受信する放送受信ステップと、放送受信ステップが受信したテレビジョン放送信号に基づく番組のデータを検出し、検出した番組のデータを、記憶部に第１番組データとして録画する番組録画ステップと、外部機器から送信される第２番組データを受信する番組受信ステップと、記憶部を検索し、番組受信ステップが受信した第２番組データと同一番組の第１番組データが、記憶部に録画済みであるか否かを検出する番組検索ステップと、番組検索ステップが録画済みでないと検出したとき、番組受信ステップが受信した第２番組データを記憶部に格納するステップとを、備え、第２番組データは、所定サイズよりも大きいサイズの周波数帯域を有するテレビジョン放送信号に基づく番組データである。
【発明の効果】
【００２１】
本発明によれば、携帯端末は、何ら要求をしなくとも、外部機器から送信された第２番組データを受信すると、対応の番組は未だ録画していないと検出したとき、受信した第２番組データを記憶部に格納する。これにより、データ転送の要求なしにタイムリーに記憶データを更新することが可能となる。
【００２２】
また、受信する第２番組データは、携帯端末が受信する第１番組データのそれよりも広周波数帯域を有したテレビジョン放送信号により放送される解像度の高い映像からなるので、携帯端末ではあっても、同一番組について、移動体向けのテレビジョン放送信号による番組データに代替して、解像度の高い映像による番組データを取得することができる。
【００２３】
また、データ通信システムにおいて、情報処理装置の送信タイミング制御部は、格納部に追加された第２番組データを、検出して、携帯端末に送信するので、携帯端末における第２番組データの格納状態を、情報処理装置における第２番組データの格納状態と整合させるができる。
【図面の簡単な説明】
【００２４】
【図１】本発明の実施の形態に係るデータ通信システムの構成図である。
【図２】本発明の実施の形態に係る携帯電話の機能構成図である。
【図３】本発明の実施の形態に係るディスク装置の機能構成図である。
【図４】本発明の実施の形態に係る携帯電話の記憶内容の一例を示す図である。
【図５】本発明の実施の形態に係るディスク装置の記憶内容の一例を示す図である。
【図６】本発明の実施の形態に係るディスク装置におけるデータの受信および録画の処理フローチャートである。
【図７】（Ａ）と（Ｂ）はディスク装置におけるデータの転送タイミングに従う処理フローチャートである。
【図８】本発明の実施の形態に係る携帯電話の処理フローチャートである。
【図９】この発明の実施の形態に係る携帯電話におけるディスク装置から受信したデータを格納する動作の処理フローチャートである。
【図１０】この発明の実施の形態に係る携帯電話をリモコンとして用いた場合のデータ転送の処理フローチャートである。
【図１１】この発明の実施の形態に係る携帯電話をリモコンとして用いた場合のデータ再生の処理フローチャートである。
【図１２】この発明の実施の形態に係る表示例を説明する図である。
【図１３】（Ａ）〜（Ｃ）は、この発明の実施の形態に係る他の表示例を説明する図である。
【図１４】（Ａ）〜（Ｄ）は、この発明の実施の形態に係る更なる他の表示例を説明する図である。
【発明を実施するための形態】
【００２５】
以下、本発明のデータ通信システムの実施の形態について図面を参照しつつ説明する。なお、同一の構成要素には各図において同一の符号を付し、詳細な説明は繰返さない。
【００２６】
本発明に係るデータ通信システムは、「データ供給のための情報処理装置」から「端末」へデータを供給するシステムである。「端末」は、外部の機器または外部のネットワークなどとの通信機能を有した、たとえば、携帯型電話機（以下、携帯電話という）や、ＰＤＡ、ノート型パーソナルコンピュータなどの情報処理端末である。本実施の形態では、「端末」の代表例として、携帯電話を用いて説明する。
【００２７】
また、「データ供給のための情報処理装置」は、記憶部を有し、記憶部からデータを読出し、読出したデータを「端末」に転送することによりデータを供給する。
【００２８】
ここでは、供給されるデータの一例として、複数セグメントを使用して放送された番組データを挙げる。より具体的には、フルセグメントを利用して放送された番組データである。
【００２９】
「データ供給のための情報処理装置」の代表例として、本実施の形態では、ディスク装置を挙げるが、パーソナルコンピュータなど汎用のコンピュータであってもよい。ディスク装置は、内蔵するディスクにデータを記録し、記録したデータをディスクから読出し、読出したデータを、「端末」に送信する。とりわけ、本実施の形態では、ハイビジョン放送信号による番組データを録画可能なように、記録密度が高く且つ大容量のブルーレイディスク装置を例示する。
【００３０】
＜ハードウェア構成＞
図１を参照して、本実施の形態に係るデータ通信システムは、携帯電話２０、ブルーレイディスク装置（以下、単にディスク装置という）５０および携帯電話２０とディスク装置５０との間のデータ通信を中継するクレードル４０を備える。クレードル４０は、携帯電話２０を充電するための機能を有する。
【００３１】
携帯電話２０は、外部のネットワーク（放送網、電話網などを含む）に接続するために、無線通信するためのアンテナ２を有する無線部３、ＣＰＵ（Central  Processing  Unit）を含んで構成されるマイクロコンピュータとしての制御部１、無線部３を介して受信した信号を処理する信号処理部４、各種のデータおよびプログラムなどを記憶するための記憶部５、クレードル４０との間で通信路２１を介して信号・データの入出力を行なうための信号入出力部６、充電可能な内蔵バッテリ部７、音を出力するためのスピーカ８、音を入力するためのマイク９、情報表示のための液晶ディスプレイなどの表示部１０、キー、ボタンなどを含み、外部から操作されることにより操作に従う指示信号を入力するための操作部１１、携帯電話２０がディスク装置５０のリモートコントローラ（以下、リモコンと略す）として操作された場合においてリモコン信号をディスク装置５０との間で通信するための操作信号通信部１２、メモリ１４および動作状態等を報知するために点灯・点滅するＬＥＤ（Light  Emitting  Diode）１５を含む。
【００３２】
無線部３は、アンテナ２を介して各放送局から送信されるテレビジョン放送信号を受信するためのチューナ１３を含む。
【００３３】
表示部１０は、メイン表示部１０１とメイン表示部１０１の画面よりも小さいサイズのサブ表示部１０２とを含む。これら表示部は、たとえば携帯電話２０の筐体の表面と裏面とに設けられる。
【００３４】
信号入出力部６は、電源Ｉ／Ｆ（Interfaceの略）６Ａと通信Ｉ／Ｆ（Interfaceの略）６Ｂを含む。信号入出力部６は、クレードル４０から、通信路２１を経由して電力信号およびデータ信号を入力する。電源Ｉ／Ｆ６Ａは、通信路２１を介して与えられる電力信号を入力し、内蔵バッテリ部７に供給する。内蔵バッテリ部７は、内蔵する電池を、供給される電力信号に基づき充電する。通信Ｉ／Ｆ６Ｂは、通信路２１を経由してクレードル４０から与えられるデータ信号を入力し、制御部１に与える。制御部１は、与えられたデータ信号を入力して処理し、記憶部５の所定領域にデータを格納する。
【００３５】
メモリ１４には、当該携帯電話２０を一意に識別するための識別子ＭＩＤが予め格納されている。
【００３６】
ディスク装置５０は、書換え可能なブルーレイディスクを含むディスク記憶部５４、ＣＰＵ５１、クレードル４０との間でデータ、信号などを入出力するための入出力部５２、放送局から送信される番組放送信号を受信するためのアンテナ５７を接続するチューナ５６、チューナ５６により受信した放送信号を処理するための放送信号処理部５３、携帯電話２０との間でリモコン信号を送受信するための操作信号通信部５８、ディスク記憶部５４から読出した番組データを、テレビジョン受像機など外部の表示部８０に出力するための表示Ｉ／Ｆ５９、およびメモリ５５を備える。
【００３７】
メモリ５５には識別子ＰＩＤが格納される。ディスク装置５０は、操作信号通信部５８を介してリモコン信号とともに入力した識別子ＭＩＤを、識別子ＰＩＤとしてメモリ５５に格納する。
【００３８】
クレードル４０は、ＣＰＵ３１、外部の商用電源３５から電力信号を入力するためのＡＣ（Alternating  Current）電源Ｉ／Ｆ３３、ディスク装置５０との間で通信路４１を介してデータおよび信号を入出力するための入出力部３４、携帯電話２０との間でデータ信号および電力信号を入出力するための信号入出力部３２を備える。信号入出力部３２は、電力信号を携帯電話２０に供給するための電源Ｉ／Ｆ３２Ａおよびデータ信号を携帯電話２０へ供給するための通信Ｉ／Ｆ３２Ｂを含む。クレードル４０は、携帯電話２０が載置される部分を有する。当該部分に携帯電話２０が載置されると、携帯電話２０の信号入出力部６と、クレードル４０の信号入出力部３２は通信路２１を介して通信可能に接続される。このような接続状態において、クレードル４０は携帯電話２０に対し、商用電源３５から供給される電力信号を送信し、また、ディスク装置５０から受信したデータ信号を送信する。
【００３９】
ここでは、通信路２１と４１は、ケーブルを介した有線の通信路であってもよく、また、ＩｒＤＡ（Infrared  Data  Association）またはBluetooth（登録商標）の無線による通信路であってもよい。通信路２１と４１では、ＵＳＢ（Universal  Serial  Bus）のプロトコル（規格）に従い通信が行なわれると想定する。ＵＳＢのプロトコルは、一般の家電機器に適用されるプロトコルであり汎用性を有する。なお、適用されるプロトコルはＵＳＢに限定されるものではない。
【００４０】
クレードル４０は通信路２１のケーブルを介して携帯電話２０と接続される場合には、ケーブルの携帯電話２０との接続端は、信号入出力部６に着脱自在に接続される。同様に、クレードル４０は通信路４１のケーブルを介してディスク装置５０と接続される場合には、ケーブルのディスク装置５０との接続端は、入出力部５２に着脱自在に接続される。
【００４１】
本実施の形態では、携帯電話２０がクレードル４０に載置されない状態では、すなわちデータ通信および充電が行なわれない状態では、携帯電話２０をディスク装置５０のリモコンとして用いることができる。図１では、携帯電話２０がリモコンとして用いられる状態が破線で示されている。
【００４２】
＜機能構成＞
図２には、プログラム・データなどのソフトウェアまたはハードウェアにより実現される携帯電話２０の機能構成が示される。図２を参照して、携帯電話２０は、記憶部５および制御部１に対応するデータ管理部２０１、制御部１が有するメモリ容量検出部２０２、アンテナ２およびチューナ１３を含む無線部３に対応する放送信号受信部２０３、制御部１が有する録画優先制御部２０４、電源Ｉ／Ｆ６Ａおよび内蔵バッテリ部７が対応する充電制御部２０５、操作信号通信部１２に対応し、且つ携帯電話２０をディスク装置５０の遠隔操作部であるリモコンとして機能させるためリモコン部２０６、アンテナ２および無線部３、ならびにスピーカ８およびマイク９に対応する通話部２０７、アンテナ２および無線部３を介してメールなどのデータを受信または送信するデータ通信部２０８、操作部１１に対応する入力処理部２０９および通信路２１を介して受信したデータをＵＳＢに従い受信するためのＵＳＢ通信部２１０を含む。
【００４３】
データ管理部２０１は、ディスク装置５０から、クレードル４０を介して供給されたデータについて記憶部５への書込／読出を制御するために、上書き記録部２１１、選択記録部２１２、データ削除部２１３およびデータ読出部２１４を含む。本実施の形態では、説明を簡単にするために、ディスク装置５０から携帯電話２０に供給されるデータは、テレビ局などの各放送局から送信される番組のコンテンツのデータであると想定するが、これに限定されるものではない。
【００４４】
上書き記録部２１１は、ディスク装置５０から受信した番組データを入力すると、所定の基準に基づき、記憶部５に録画されている番組データを、入力した番組データを上書きすることにより更新する。選択記録部２１２は、番組データを入力すると、入力した番組データを所定基準に基づき選択的に記憶部５に録画する。データ削除部２１３は、記憶部５に格納されている番組データを所定基準に従い削除する。データ読出部２１４は、記憶部５に格納された番組データを読出す。
【００４５】
図３には、プログラム・データなどのソフトウェアまたはハードウェアにより実現されるディスク装置５０の機能構成が示される。図３を参照してディスク装置５０は、ディスク記憶部５４に録画される番組データを管理するためのデータ管理部５０１、ディスク記憶部５４から番組データを読出し携帯電話２０に送信するタイミングを制御するための送信タイミング制御部５０２、アンテナ５７およびチューナ５６を介してテレビジョン放送の番組データを受信するための放送信号受信部５０３、ディスク記憶部５４に録画された番組データの情報を一覧にして示す番組表を携帯電話２０に送信するための番組表送信部５０５を備える。
【００４６】
さらに、ディスク記憶部５４から番組データを読出し、携帯電話２０に送信するための番組データ送信部５０６、ディスク記憶部５４から番組データを読出し、表示Ｉ／Ｆ５９を介して外部の表示部８０に出力するための番組データ再生部５０７、携帯電話２０から遠隔操作を受けるためのリモコン信号を送受信するリモコン部５０８および入出力部５２に対応の入出力制御部５０９を備える。
【００４７】
さらに、ディスク装置５０は、携帯電話２０に送信する番組データのサイズを小さくするデータ縮小部５１０、上述の番組表を検索する番組表検索部５１１、携帯電話２０の識別子ＭＩＤをチェックするための携帯電話チェック部５１４、およびディスク記憶部５４の番組データを検索するための番組データ検索部５１５を備える。
【００４８】
データ管理部５０１は、ディスク記憶部５４に録画された番組データについて、携帯電話２０に送信する対象となるデータを管理するための送信データ管理部５１１、操作信号通信部５８を介して受信したリモコン信号に基づき再生された番組データを管理するためのリモコン再生データ管理部５１２、およびディスク記憶部５４に録画された番組データを管理する録画データ管理部５１３を含む。
【００４９】
データ縮小部５１０は、携帯電話２０の記憶部５における、新たなデータを格納可能な容量（サイズ）に基づき、携帯電話２０に送信すべき番組データのサイズを小さくする。たとえば、データの圧縮、間引き、コマーシャルの削除などの縮小処理をする。
【００５０】
＜放送信号について＞
ここで、本実施の形態に係るテレビジョン放送信号の受信態様について説明する。
【００５１】
各放送局からのテレビジョン放送は、携帯電話２０などの移動体端末向けの１セグメント放送（以下、‘ワンセグ’放送と略す）と、フルセグメント放送（以下、‘フルセグ’放送と略す）に分類される。したがって、１つのテレビ番組は、ワンセグ放送とフルセグ放送により放送されていると想定する。
【００５２】
地上デジタル放送方式では、１つのチャンネルが、所定サイズの周波数帯域を有した１３個の「セグメント」に分割されており、これをいくつか束ねて映像やデータや音声などが送信（放送）されている。１３個の「セグメント」のうち、１個のセグメントがワンセグ放送に利用される。したがって、携帯電話２０は、残りの１２個のセグメントを使用したハイビジョン放送などのフルセグ放送による番組データを受信することはできないが、ワンセグ放送による番組データは受信することができる。
【００５３】
利用可能な周波数帯域のサイズが小さいワンセグ放送の解像度は、複数のセグメントを使用した放送や、フルセグ放送による画像の解像度に比べると低い。したがって、ユーザは、同じ番組であれば、ワンセグ放送で視聴するよりも、画質に優れるフルセグ放送などで視聴することを好む。
【００５４】
本実施の形態では、携帯電話２０は、ディスク装置５０からフルセグ放送により録画した番組データを受信することにより、ユーザが好むフルセグ放送による番組データも取得することができる。なお、携帯電話２０は、ワンセグ放送による番組データおよびフルセグ放送による番組データのそれぞれを、表示部１０で表示（再生）することが可能なデータ処理機能を搭載していると想定する。
【００５５】
＜記憶内容＞
図４を参照して、携帯電話２０の記憶部５には、番組データ群７０、番組ＩＤテーブル７１および管理テーブル７２が格納される。
【００５６】
番組データ群７０には、ワンセグまたはフルセグの番組データＡが１つ以上含まれる。番組ＩＤテーブル７１は、番組データ群７０の各番組データＡに関連付けて当該番組データを識別するための番組ＩＤ（Identification）データＢが格納される。
【００５７】
番組ＩＤテーブル７１の番組ＩＤデータＢは、関連付けられた番組データＡを識別するための情報として、番組名のデータ、放送日時のデータ、録画に要した時間を指す録画時間のデータおよび放送局を指すデータを含む。これらデータは、放送局から送信される電子番組表（ＥＰＧ：Electronic  Program  Guide）を受信し、受信した電子番組表を検索することにより、取得できる。
【００５８】
管理テーブル７２は番組ＩＤテーブル７１の番組ＩＤデータＢに関連付けてレコードＣを格納する。レコードＣは、関連付けられた番組ＩＤデータＢが指示する番組データＡが記憶部５に録画済（格納されている）か否かを示すデータＣ１と、当該番組データＡが記憶部５から読出されて表示部１０に表示（再生）されたか否かを指示する再生済のデータＣ２を含む。データＣ１は、未録画であれば“０”が設定され、録画済であれば“１”または“２”が設定される。データＣ１は、番組データＡが、ワンセグ放送による番組データである場合には‘１’を指示し、フルセグ放送の番組データである場合には“２”を指示する。データＣ２は、番組データＡが再生済であれば“１”が設定され、まだ再生されていなければ“０”が設定される。
【００５９】
図５を参照して、ディスク装置５０のディスク記憶部５４には、アンテナ５７を介してフルセグ放送により受信した番組データＲが１つ以上含まれる番組データ群６０、番組ＩＤテーブル６１、サイズテーブル６２および管理テーブル６３が格納される。
【００６０】
番組ＩＤテーブル６１は、番組データ群６０の番組データＲのそれぞれに関連付けて、当該番組を識別するための番組ＩＤデータＰを含む。サイズテーブル６２は、番組ＩＤテーブル６１の各番組ＩＤデータＰに関連付けて、対応の番組データのサイズを示すサイズデータＳを含む。
【００６１】
管理テーブル６３は、番組ＩＤテーブル６１の番組ＩＤデータＰのそれぞれに対応して、レベルコードＱを含む。レコードＱは、対応の番組ＩＤデータＰに関連付けられた番組データＲが、ディスク記憶部５４から読出されて表示Ｉ／Ｆ５９を介して表示部８０に表示（再生）されたか否かを示す再生済のデータＱ１と、当該番組データＲがクレードル４０を経由して携帯電話２０に送信されたか否かを示す送信済のデータＱ２を含む。データＱ１は、再生済を“１”で示し、未再生を“０”で示す。データＱ２は送信済を“１”で示し、未送信を“０”で示す。
【００６２】
番組ＩＤテーブル６１の番組ＩＤデータＰは、関連付けられた番組データＲを識別するための情報として、番組名のデータＰ１、放送日時のデータＰ２、ディスク装置５０による録画に要した時間を指す録画時間のデータＰ３および放送局を指すデータＰ４を含む。データＰ１、Ｐ２およびＰ４は、放送信号に重畳された電子番組表を受信し、受信した電子番組表を検索することにより、取得できる。
【００６３】
<動作について>
図１のデータ通信システムの動作について図６〜図１１のフローチャートに従い説明する。
【００６４】
図６を参照して、ディスク装置５０におけるフルセグ放送による番組データの受信および録画について説明する。
【００６５】
ＣＰＵ５１は、録画指示が入力するまで待機する（ステップＳ１でＮＯ）が、図示されない操作部から録画指示、または操作信号通信部５８を介してリモコン信号が指す録画指、または予め予約された番組録画の指示を入力すると（ステップＳ１でＹＥＳ）、放送信号受信部５０３は、入力した録画指示に基づきチューナ５６を制御する。これによりチューナ５６は指示信号が指す番組の放送局（チャンネル）を選局するためのチューニング動作を行なう（ステップＳ３）。
【００６６】
チューニング動作が終了すると、放送信号受信部５０３はアンテナ５７およびチューナ５６を経由し、指定チャンネルのフルセグ放送のよる番組の放送信号を受信する（ステップＳ５）。受信したバ番組の放送信号は放送信号処理部５３により復調などの処理がされることにより番組データが検出されて、ＣＰＵ５１の制御の下に、ディスク記憶部５４の番組データ群６０に、番組データＲとして録画される（ステップＳ７）。
【００６７】
データ管理部５０１の録画データ管理部５１３は、録画した番組データＲに関連付けて、電子番組表から検出した当該番組データＲの番組ＩＤデータＰを格納するとともに、当該番組データＲのサイズを検出してサイズデータＳをサイズテーブル６２に格納する。さらに、番組ＩＤデータＰに関連付けて管理テーブル６３にレコードＱを格納する。このレコードＱのデータＱ１およびＱ２には、値“０”を設定する（ステップＳ９）。
【００６８】
これにより、ディスク装置５０におけるフルセグ放送による番組データの録画動作が終了する。
【００６９】
次に、図７（Ａ）と（Ｂ）の処理フローチャートを参照し、ディスク装置５０による番組データＲの携帯電話２０への転送タイミングに関する処理について説明する。
【００７０】
ここでは、携帯電話２０は、クレードル４０に載置されて通信路２１を経由してクレードル４０と通信可能な状態にあり、また、クレードル４０とディスク装置５０とは通信路４１を経由してデータ通信が可能な状態（これを、メモリモードと呼ぶ）にあると想定する。
【００７１】
メモリモードは、ユーザが操作部１１を操作することにより指定できる。または、ディスク装置５０から通信路２１および４１ならびにクレードル４０を経由して、メモリーモードへ移行するように指示してもよい。
【００７２】
本実施の形態では、データ転送のタイミングは、ディスク装置５０により図６の手順に従い番組データが録画されたときに検出する態様（図７（Ａ）参照）と、所定期間毎に、すなわち周期的に検出する態様（図７（Ｂ）参照）とがある。
【００７３】
送信タイミング制御部５０２は、図６に従う番組データＲの録画の完了を検出すると、図７（Ａ）の処理を開始する。つまり、録画データ管理部５１３により、録画された番組データＲについての関連データの設定処理（ステップＳ９）が終了したことが通知されると、送信タイミング制御部５０２は録画の完了を検知する（ステップＳ１１でＹＥＳ）。
【００７４】
送信タイミング制御部５０２は、録画完了を検知すると、番組データ送信部５０６を制御する。番組データ送信部５０６は、録画された番組データＲと関連付けされた番組ＩＤデータＰとを、ディスク記憶部５４から読出す（ステップＳ１３）。そして、読出した番組データＲと番組ＩＤデータＰを入出力部５２を介してＵＳＢプロトコルに従い通信路４１に出力する。これにより、番組データはクレードル４０に送信される（ステップＳ１５）。クレードル４０は、入出力部３４を介して通信路４１から受信した番組データＲを、ＣＰＵ３１の制御の下に、信号入出力部３２の通信Ｉ／Ｆ３２Ｂを介して携帯電話２０の信号入出力部６に送信する（ステップＳ１５）。読出した番組データＲの携帯電話２０への送信が完了したことを番組データ送信部５０６が検出すると、その検出信号は送信データ管理部５１１に与えられる。
【００７５】
送信データ管理部５１１は、送信完了の検知信号を入力すると、送信された番組データＲに関連付けられた番組ＩＤデータＰに関連のレコードＱのデータＱ２を、送信済を指示するように“１”に設定（更新）する（ステップＳ１７）。
【００７６】
上述の図７（Ａ）の処理は番組データＲの録画が完了したタイミングで送信を開始しているが、番組データの送信はこのタイミングに限定されず、図７（Ｂ）のように周期的に行なわれるようにしてもよい。
【００７７】
ＣＰＵ５１は、図示されないタイマから所定間隔を計時する毎に（周期的に）割込を受けると、当該割込に応じて送信タイミング制御部５０２を起動する。
【００７８】
送信タイミング制御部５０２は、上述の割込に応じて起動されると番組表検索部５１１を制御する。
【００７９】
図７（Ｂ）を参照して、番組表検索部５１１は送信タイミング制御部５０２から指示されると、ディスク記憶部５４の番組ＩＤテーブル６１を検索し、番組ＩＤデータＰに関連付けられた管理テーブル６３のレコードＱを検索する（ステップＳ２１）。レコードＱの検索結果に基づき、データＱ２の値が“０”であるレコードＱが有るか否かを検出する。これにより、携帯電話２０に未送信の番組データＲの有無が検出される（ステップＳ２３）。関連付けられたレコードＱのデータＱ２が“０”を指す番組データＲがないことを検出すると（ステップＳ２３でＮＯ）、一連の処理は終了する。
【００８０】
関連付けられたレコードＱのデータＱ２が“０”を指す番組データＲがある、すなわち未送信の番組データＲが検出されると（ステップＳ２３でＹＥＳ）、当該レコードＱに関連付けされた番組ＩＤデータＰと、これに関連の番組データＲを検索して読出し、読出した番組ＩＤデータＰと番組データＲを通信路４１に送信する（ステップＳ２７）。これにより、番組ＩＤデータＰと番組データＲはクレードル４０を経由して携帯電話２０に送信される。
【００８１】
番組データＲと番組ＩＤデータＰの送信が完了すると、番組データ送信部５０６は送信完了の通知を送信データ管理部５１１に与える。送信データ管理部５１１は送信完了の通知を受けると、送信済設定の処理を、前述したステップＳ１７と同様の処理を行なう（ステップＳ２９）。
【００８２】
次に、図８を参照して、携帯電話２０がメモリモードにおいて、ディスク装置５０から受信した番組データを録画する動作について説明する。
【００８３】
まず、データ通信部２０８は、信号入出力部６の通信Ｉ／Ｆ６Ｂを経由して、ディスク装置５０から番組データＲと関連の番組ＩＤデータＰを、受信するか否かを判定し（ステップＳ３１）、受信したことを検知するまで待機する（ステップＳ３１でＮＯ）。ＵＳＢプロトコルに従う受信フレームを解析することにより、番組データＲおよび番組ＩＤデータＰの受信を検出する（ステップＳ３１でＹＥＳ）。これらデータの受信を検出すると、データ通信部２０８は、処理を制御する一時的なフラグデータＦを‘０’にセットする（Ｓ３３）。
【００８４】
続いて、上書き記録部２１１は、番組データＲに対応の番組データＡが既に格納されているか否かを判定する（ステップＳ３５）。
【００８５】
具体的には、番組データＲとともに受信した番組ＩＤデータＰの番組名のデータＰ１に基づき、ＩＤテーブル７１を検索する。検索結果に基づき、ＩＤテーブル７１に、当該データＰ１に一致する番組名を指示する番組ＩＤデータＢが格納されているか否かを判定する。格納されていないと判定すると（ステップＳ３５でＮＯ）、受信した番組データＲを格納するために、後述の録画処理（ステップＳ４３）に移行する。
【００８６】
一方、一致する番組ＩＤデータＢが格納されていると判定すると（ステップＳ３５でＹＥＳ）、フラグデータＦを“１”にセットする（ステップＳ３７）。
【００８７】
ステップＳ３９において、上書き記録部２１１は、録画済みと判定した番組データＡが、携帯電話２０において再生済であるか否かを、当該番組データＡに関連付けられたレコードＣのデータＣ２に基づき判定する（ステップＳ３９）。対応のデータＣ２が“１”を指示すると判定すると（ステップ３９でＹＥＳ）、すなわち当該番組データＡは再生済みでありユーザが視聴済みと判定すると、受信した番組データＲは格納せずに破棄し（ステップＳ４１）、一連の処理を終了する。
【００８８】
一方、データＣ２が“０”を指示していると判定すると（ステップＳ３９でＮＯ）、すなわち当該番組データＡは再生済でなく未だユーザは視聴していないことを検出する。
【００８９】
続いて、上書き記録部２１１は、当該番組データＡがフルセグ放送の番組データであるかを対応のデータＣ１が“２”を指すか否かにより検出する（ステップＳ４２）。“２”を指示すると検出すると（ステップＳ４２でＹＥＳ）、前述したステップＳ４１の処理に移行する。一方、データＣ１が“２”を指示しないと検出すると（ステップＳ４２でＮＯ）、後述の録画処理（ステップＳ４３）に移行する。
【００９０】
このように、携帯電話２０は、ディスク装置５０からフルセグ放送の番組データＲを受信した場合において、対応のワンセグ放送の番組データＡが録画されており且つ当該番組データＡが未再生であれば、受信した番組データＲを格納するように動作する。したがって、ディスク装置５０から転送されたフルセグ放送による画質に優れた番組データＲであっても、一致する番組データＡが既に携帯電話２０において再生済みであれば、録画処理はスキップされる。
【００９１】
これにより、ディスク装置５０から転送される番組データＲのうち、一致するワンセグ放送の番組データが未だ録画されていない、またはワンセグ放送の番組データが録画されているけれども未だ再生されていない場合に限り、受信した番組データＲを格納する。したがって、ユーザが番組を一度再生すると、その後は繰返し再生する傾向は低いこと、また、同じ番組ならば、ユーザはワンセグ放送よりも画質に優れるフルセグ放送による番組視聴を好むとの傾向が高いことに鑑みると、図８の録画処理によってユーザの要求も満たすことができる。
【００９２】
次に、図９の処理フローチャートを参照して、図８に示した録画処理（ステップＳ４３）の詳細について説明する。
【００９３】
上書き記録部２１１は、フラグデータＦが“１”を指示するか否かを判定する（ステップＳ５１）。Ｆ＝“１”であると判定すると（ステップＳ５１でＹＥＳ）、番組データＲを番組データＡの領域に上書き格納する（ステップＳ５３）。そして、番組データＡに関連付けされたレコードＣのデータＣ１を“２”に設定する。対応のデータＣ２は“０”のままである。また、関連付けされた番組ＩＤデータＢを、当該番組データＲとともに受信した番組ＩＤデータＰを上書きすることにより更新する（ステップＳ５５）。これにより、同一番組のワンセグ放送による未再生の番組データＡは、フルセグ放送による番組データＲに書換えられて、番組データＲの格納が完了する。
【００９４】
一方、フラグデータＦが“１”ではないと判定されると（ステップＳ５１でＮＯ）、受信した番組データＲを、番組データ群７０に番組データＡとして新規に格納する（ステップＳ５７）。そして、番組データＲとともに受信した番組ＩＤデータＰを、番組ＩＤデータＢとして当該新規格納された番組データＡに関連付けてテーブル７１に追加格納し、さらに、追加格納した番組ＩＤデータＢに関連付けて新たなレコードＣをテーブル７２に格納する。当該レコードＣのデータＣ１は“２”を指示し、データＣ２は未再生“０”を指示するように設定される（ステップＳ５９）。
【００９５】
次に、図１０を参照して、携帯電話２０をディスク装置５０のリモコンとして用いて、番組データの携帯電話２０への転送が指示される場合の処理を説明する。
【００９６】
携帯電話２０のリモコン部２０６は、リモコンモードにおいて機能する。携帯電話２０の操作部１１が操作されて、リモコンモードに遷移すると、リモコン部２０６が起動する。リモコン部２０６は、ユーザが操作部１１を操作して、番組表要求指示が入力されたか否かを入力処理部２０９の出力信号に基づき判定する（ステップＳ６１）。番組表要求指示が入力されたと判定すると（ステップＳ６１でＹＥＳ）、番組表要求のリモコン信号を、リモコン信号通信部１２を介しディスク装置５０に送信する（ステップＳ６３）。リモコン信号は、たとえば赤外線信号に変調されて送信される。
【００９７】
ステップＳ６５においては、リモコン部２０６はディスク装置５０から番組表を受信したか否かを判定する（ステップＳ６５）。番組表を受信したと判定すると（ステップＳ６５でＹＥＳ）、受信した番組表を、表示部１０を介して表示する（ステップＳ６７）。
【００９８】
ステップＳ６９では、表示部１０に表示された番組表を確認したユーザは、操作部１１を操作し、所望番組の転送を指示するリモコン操作を行う。図１の破線で示した状態が対応する。リモコン操作の入力を検知すると（ステップＳ６９でＹＥＳ）、リモコン部２０６は入力した操作内容に従うリモコン指令信号を生成する。そして、メモリ１４から識別データＭＩＤを読みだす。その後、生成した指令信号と読出した識別データＭＩＤとをリモコン信号に変調して送信する（ステップＳ７１）。
【００９９】
この指令信号を送信後、ディスク装置５０から番組データを受信するために、ユーザは、携帯電話２０を、クレードル４０に載置する。これにより通信路２１および４１ならびにクレードル４０によるデータ通信経路が確立する。
【０１００】
その後、携帯電話２０のＵＳＢ通信部２１０は、通信路２１を経由してディスク装置５０から番組データＲを受信する（ステップＳ７３）。上書き記録部２１１は、受信した番組データＲを格納する（ステップＳ７５）。この録画処理は、前述した図８および図９の処理と同じであり、説明は略す。
【０１０１】
一方、ディスク装置５０においては、リモコン部５０８は、ステップＳ６３から送信された要求信号を受信するまで待機する（ステップＳ７７）。要求信号を受信したと判定すると（ステップＳ７７でＹＥＳ）、番組表送信部５０５は、ディスク記憶部５４の番組ＩＤテーブル６１を読出し、読出した番組ＩＤテーブル６１の番組ＩＤデータＰに基づき番組表を生成し、生成した番組表をリモコン部５０８を介して携帯電話２０に送信する（ステップＳ７９）。
【０１０２】
続いて、リモコン部５０８は、携帯電話２０から、番組データの送信要求の指令信号を受信するまで待機する（ステップＳ８１）。前述のステップＳ７１において送信された指令信号を受信するか否かを判定し（ステップＳ８１）、指令信号を受信したと判定すると（ステップＳ８１でＹＥＳ）、リモコン部５０８は指令信号を携帯電話チェック部５１４に出力し、指令信号とともに受信した識別データＭＩＤをメモリ５５に識別データＰＩＤとして格納する。
【０１０３】
携帯電話チェック部５１４は、指令信号を入力すると携帯電話２０のチェック処理を行なう（ステップＳ８３、Ｓ８５）。
【０１０４】
携帯電話２０のチェック処理において、携帯電話２０は、ユーザによってクレードル４０に載置された状態にあるので、携帯電話チェック部５１４は、通信路２１および４１ならびにクレードル４４を経由し、携帯電話２０に対し識別データＭＩＤを要求する。この要求に応じて携帯電話２０においては、制御部１によりメモリ１４から識別データＭＩＤが読出されて、読出された識別データＭＩＤは通信Ｉ／Ｆ６Ｂを経由し、通信路２１および４１ならびクレードル４０を経由してディスク装置５０に与えられる。
【０１０５】
携帯電話チェック部５１４は、入出力部５２を介して、携帯電話２０から送信された識別データＭＩＤを受信すると、受信した識別データＭＩＤと、メモリ５５から読出した識別データＰＩＤとを比較する。比較結果に基づき両データが一致するか否かを判定する（ステップＳ８３、Ｓ８５）。２つのＩＤデータが一致している、すなわちステップＳ８１において受信した指令信号の送信元の携帯電話２０が、クレードル４０に載置された状態の携帯電話２０に一致するかを検出する。
【０１０６】
一致していることを検出すると、番組データ検索部５１５は、ステップＳ８１において受信した指令信号に含まれる要求された番組データの番組ＩＤデータＢに基づき、番組ＩＤテーブル６１を検索する。検索結果、受信した番組ＩＤデータＢに一致する番組ＩＤデータＰを検出すると、検出した番組ＩＤデータＰに関連付けられた番組データ群６０の番組データＲを読出す（ステップＳ８７、Ｓ８９）。読出した番組データＲは、番組データ送信部５０６に与えられる。
【０１０７】
番組データ送信部５０６は、与えられる番組データＲを、入出力部５２および通信路４１を介してクレードル４０に送信する。クレードル４０は、ＵＳＢプロトコルに従い番組データＲを受信し、受信した番組データＲをＵＳＢプロトコルに従い、携帯電話２０に送信する（ステップＳ９１）。これにより、携帯電話２０においては、ステップＳ７３においてディスク装置５０から番組データＲを受信し、格納する（ステップＳ７３、Ｓ７５）。
【０１０８】
ステップＳ９３においては、送信データ管理部５１１は、ディスク記憶部５４の番組データ群６０のうち今回読出されて携帯電話２０に送信された番組データＲに対応の番組ＩＤデータＰに関連付けられた管理テーブル６３のレコードＱのデータＱ２を“１”に更新する。これにより、対応の番組データＲは携帯電話２０に送信済であることが管理される。
【０１０９】
次に、携帯電話２０をディスク装置５０のリモコンとして使用し、ディスク装置５０に接続された表示部８０に所望の番組データを表示（再生）する場合の処理について、図１１を参照し説明する。
【０１１０】
まず、ユーザは手元の携帯電話２０を操作部１１を介してリモコンモードに設定する。リモコンモードに設定後、ユーザが操作部１１を操作して、所望の番組データＲの番組名を指定して再生を指示するリモコン信号を、ディスク装置５０に向けて送信する（図１の破線で示した状態を参照）。番組データＲを指定するために、番組データ再生部５０７は番組ＩＤテーブル６１を読出し、読出した内容に基づき番組名データＰ１による番組名一覧表を生成し、表示部８０に表示する。ユーザは、表示された番組表から所望の番組名を指定できる。
【０１１１】
ディスク装置５０のリモコン部５０８は、携帯電話２０から送信されたリモコン信号を、操作信号通信部５８を介して受信する（ステップＳ９７）。
【０１１２】
リモコン部５０８は、受信したリモコン信号を解析し、その解析結果に基づき、番組表検索部５１１は、リモコン信号が指示する番組名に従い、番組ＩＤテーブル６１を検索する。
【０１１３】
番組表検索部５１１は、指示された番組名に一致する番組名データＰ１を有する番組ＩＤデータＰを番組ＩＤテーブル６１から検索すると、番組データ検索部５１５は、当該番組ＩＤデータＰに関連付けられた番組データＲを番組データ群６０から検索し、読出す（ステップＳ９９）。
【０１１４】
読出された番組データＲは、番組データ再生部５０７に与えられる。番組データ再生部５０７は、与えられる番組データＲを外部の表示部８０に表示可能なようにデータ処理し、処理されたデータを表示Ｉ／Ｆ５９を介して外部の表示部８０へ出力する。これにより、外部の表示部８０においては、ユーザが指定した番組データＲに従う映像が表示され、また音声が出力される（ステップＳ１０１）。
【０１１５】
データ管理部５０１のリモコン再生データ管理部５１２は、表示部８０に表示（再生）された番組データＲに対応の番組ＩＤデータＰに関連付けられたレコードＱのデータＱ１を“１”に更新する。これにより、当該番組データＲは、既に携帯電話２０のリモコン操作により、表示部８０において再生出力されたことが管理される（ステップＳ１０３）。
【０１１６】
したがって、携帯電話２０に番組データＲを送信する場合において、当該携帯電話２０がリモコンとして用いられて、表示部８０に再生表示済みである場合には（データＱ１が“１”）は、未送信（データＱ２が“０”）であるとしても、送信対象から外し、送信しないようにしてもよい。
【０１１７】
＜データ転送時の表示例＞
図１２〜図１４には、上述した番組データＲの転送時における、携帯電話２０とディスク装置５０の表示画面の一例が示される。
【０１１８】
図１２〜図１４では、携帯電話２０の表示態様と、ディスク装置５０の表示態様とが対応付けて示される。携帯電話２０の表示態様としてメイン表示部１０１、サブ表示部１０２およびＬＥＤ１５の表示が関連付けて示されて、ディスク装置５０の表示態様として表示部８０の表示、およびディスク装置５０の本体に設けられた液晶表示部８１とＬＥＤ８２の表示が関連付けて示される。これら表示部のメッセージ表示およびＬＥＤの点灯は、携帯電話２０側はメッセージ出力部２１５により制御されて、ディスク装置５０側はメッセージ出力部５１６により制御される。
【０１１９】
図１２を参照して、携帯電話２０がメモリモードに遷移し番組データＲの転送が開始される直前には、メイン表示部１０１およびサブ表示部１０２には“メモリモード”のメッセージが表示されて、ＬＥＤ１５は点灯状態となる。また、表示部８０に所定のメニューが表示されるか、転送するべき番組データＲがある場合には、携帯電話２０に自動的に番組データＲを転送開始する旨のメッセージが表示される。
【０１２０】
図１３（Ａ）を参照して、メモリモードにおいて番組データＲの自動転送が行われている場合には、メイン表示部１０１およびサブ表示部１０２には、データ転送中であり携帯電話２０をクレードル４０から取外さないように注意喚起のメッセージが表示される。ＬＥＤ１５は、転送中は点滅状態となる。また、表示部８０にも、携帯電話２０にデータ転送中であるメッセージが表示されるとともに、転送したデータ量をインジケータと％の数値で表示する。液晶表示部８１には％数値が表示され、ＬＥＤ８２は消灯から点灯の状態となる。
【０１２１】
図７（Ａ）または（Ｂ）の転送タイミングに従い番組データＲのデータ転送が行われた結果、転送が完了すると、すなわちＵＳＢプロトコルに従うエンドフレームの受信を検出すると、図１３（Ｂ）に示すように、データ転送が終了したことのメッセージが、各表示部に表示されて、ＬＥＤ１５は元の点灯状態に戻る。液晶表示部８１には％数値は‘１００’と表示され、またＬＥＤ８２は消灯し、データ転送が終了していることが通知される。
【０１２２】
図１３（Ｂ）のメッセージを確認したユーザは、携帯電話２０をクレードル４０から取外す。信号入出力部６が、この取り外しを検出すると、メイン表示部１０１は所定の待ちうけ画面が表示される。そして、メイン表示部１０１およびサブ表示部１０２には、‘新着の番組データ’がある旨のメッセージが表示される。ＬＥＤ１５は点灯から消灯に切換えられる。
【０１２３】
図１４（Ａ）〜（Ｄ）には、ステップＳ６７で携帯電話２０において表示した番組表を、表示部８０に表示して、転送を所望する番組データＲをディスク装置５０の図示しない操作部を操作して指定し、携帯電話２０に転送する場合の表示例が示される。
【０１２４】
図１４（Ａ）において表示部８０には、番組データＲを指定するために番組名データＰ１に従う番組名の一覧が表示される。このうち、携帯電話２０に未転送のデータの番組名のみ表示態様を変更させてもよく、また、未転送の番組名のみ一覧表示してもよい。図中では、ユーザが転送すべきデータとして選択した番組名が強調表示される。
【０１２５】
指定された番組名の番組データＲが番組データ群６０から読出されて、ディスク装置５０から携帯電話２０に送信される。データ転送の開始、データ転送中、転送完了および携帯電話２０をクレードル４０から取外した場合の各表示部における表示メッセージ、ＬＥＤの点灯/消灯は図１３に示したものと同様である。
【０１２６】
（他の実施の形態）
上述した実施の形態においては、クレードル４０を経由した番組データＲの転送を説明したが、クレードル４０を介さずに、携帯電話２０とディスク装置５０とが直接にケーブルなどで接続されて、ＵＳＢプロトコルに従い番組データ転送のための通信を行なうようにしてもよい。その場合においても、携帯電話２０とディスク装置５０との間はケーブルを介した有線接続であってもよく、またケーブルを介さない無線接続であってもよい。
【０１２７】
また、クレードル４０を経由したディスク装置５０から携帯電話２０への番組データの転送は、クレードル４０による携帯電話２０の内蔵バッテリ部７の電池の充電動作と並行して行なわれてもよい。
【０１２８】
また、ディスク装置５０から番組データＲを携帯電話２０に転送する際に、記憶部５の空き容量に従い、番組データを転送するようにしてもよい。具体的には、携帯電話２０のメモリ容量検出部２０２は、記憶部５の番組データＡを格納可能なメモリサイズ（空き容量サイズ）を検出し、検出した空き容量サイズのデータをディスク装置５０に送信する。ディスク装置５０のデータ縮小部５１０は、受信した空き容量サイズのデータに基づき、転送すべき番組データＲをサイズデータＳに従い空き容量に格納可能なサイズに縮小（圧縮、データの間引き、コマーシャル部分の削除など）する。その後に番組データＲは携帯電話２０に送信される。
【０１２９】
記憶部５における空き容量が足りない場合には、データ削除部２１３は、レコードＣのデータＣ２が“１”（既に再生済）を指示する番組ＩＤデータＢに関連付けられた番組データＡを、番組データ群７０から削除するようにしてもよい。また、記憶部５には図示されないが受信した電子メールのデータが格納されているので、受信したメールデータのうち、既読のデータを削除するようにしてもよい。
【０１３０】
また、携帯電話２０をディスク装置５０のリモコンとして使用し、ディスク装置５０に対し番組データＲの予約録画の指示をした場合には、ディスク装置５０の録画データ管理部５１３は、番組データを予約内容に従い録画をしたときに、録画した番組データＲと、当該予約指示をした携帯電話２０の識別データＭＩＤとを関連付けて格納することにより、当該番組データＲを再生する場合には、関連付けられた識別データに一致する識別データＭＩＤを有する携帯電話２０からの指示のみに従い再生するようにしてもよい。
【０１３１】
また、携帯電話２０では、ワンセグ放送の受信よる番組データＡの録画動作と、ディスク装置５０から転送された番組データＲの格納動作とが競合する場合には、録画優先制御部２０４により、所定の優先順位に従い、一方の録画動作を優先して実行し、一方の録画動作が完了するまで、他方の録画動作は実行待ち状態に置くようにしてもよい。
【０１３２】
また、番組データ群７０の領域を、ワンセグ放送による番組データの録画領域と、ディスク装置５０から受信したフルセグ放送の番組データＲの録画領域に区分し、選択記録部２１２は、アンテナ２を介して受信したワンセグ放送の番組データと、信号入出力部６を介して受信したフルセグ放送により番組データＲとを、選択的に区分して対応の領域に格納するようにしてもよい。これにより、番組データ群７０の各番組データの検索を効率的に行うことができる。
【０１３３】
また、上述の実施の形態では、転送対象のデータは、テレビジョン放送信号を受信することにより取得した番組データとしているが、これに限定されない。たとえば、パソコンに管理する電話帳データを転送することにより、携帯電話２０の電話帳データを最新にしてもよい。また、パソコンで受信したメールデータのうち未読のデータを転送することにより携帯電話２０の受信メールを最新内容に更新するようにしてもよい。また、パソコンで管理するスケジュールデータのうち未送信のスケジュール項目のデータを転送することにより携帯電話２０のスケジュールデータを最新内容に更新するようにしてもよい。
【０１３４】
また、クレードル４０に代替してインターネットを介在させて、出先においてインターネット経由で、自宅のディスク装置５０から番組データＲを、または自宅のパソコンから電話帳データ、メールデータおよびスケジュールデータの転送を行なうようにしてもよい。
【０１３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３６】
２０  携帯電話、４０  クレードル、５０  ディスク装置、２１，４１  通信路、５  記憶部、５４  ディスク記憶部、２０１，５０１  データ管理部、Ａ，Ｒ  番組データ、Ｐ，Ｂ  番組ＩＤデータ、Ｓ  サイズデータ、Ｃ，Ｑ  レコード。
【図１】
2010258572.tif 000003
【図２】
2010258572.tif 000004
【図３】
2010258572.tif 000005
【図４】
2010258572.tif 000006
【図５】
2010258572.tif 000007
【図６】
2010258572.tif 000008
【図７】
2010258572.tif 000009
【図８】
2010258572.tif 000010
【図９】
2010258572.tif 000011
【図１０】
2010258572.tif 000012
【図１１】
2010258572.tif 000013
【図１２】
2010258572.tif 000014
【図１３】
2010258572.tif 000015
【図１４】
2010258572.tif 000016